(57)【要約】【課題】サーバ等の電子機器ユニットを立てて実装することにより設置面積を最小限にした電子機器ラックを提供する。【解決手段】ユニット縦２１１とユニット横２１２とユニット奥行き２１３（ユニット奥行き２１３＜ユニット縦２１１、かつ、ユニット奥行き２１３＜ユニット横２１２）を有する箱型の電子機器ユニット２００を複数収納する電子機器ラック１００において、ラック縦１１１とラック横１１２とラック奥行き１１３（ラック奥行き１１３＜ラック縦１１１、かつ、ラック奥行き１１３＜ラック横１１２）を有する箱型のラック筐体１１０と、ラック筐体１１０内に設けられ、電子機器ユニット２００のユニット縦方向とユニット横方向との少なくともいずれかの方向に複数の電子機器ユニット２００を収納する収納部１２０とを備えた。【選択図】図５
2009266860.tif 000002
【特許請求の範囲】
【請求項１】
縦と横と奥行き（奥行き＜縦、かつ、奥行き＜横）を有する箱型の電子機器ユニットを複数収納する電子機器ラックにおいて、
縦と横と奥行き（奥行き＜縦、かつ、奥行き＜横）を有する箱型のラック筐体と、
ラック筐体内に設けられ、電子機器ユニットの縦方向と横方向との少なくともいずれかの方向に複数の電子機器ユニットを収納する収納部
を備えたことを特徴とする電子機器ラック。
【請求項２】
上記収納部は、電子機器ラックの縦方向と横方向との少なくともいずれかの方向に電子機器ユニットを配置する複数のユニット配置部を備え、
上記ユニット配置部は、電子機器ユニットを取り付ける取り付け部を備えたことを特徴とする請求項１記載の電子機器ラック。
【請求項３】
上記複数のユニット配置部のうち少なくともひとつのユニット配置部は、電子機器ユニットの奥行き方向前後に電子機器ユニットを取り付ける複数の上記取り付け部を備えたことを特徴とする請求項２記載の電子機器ラック。
【請求項４】
上記ラック筐体は、電子機器ユニットを搬入するための開口を有する前面部を備え、
上記取り付け部は、電子機器ユニットの上部を前面部方向に回動できるように、電子機器ユニットの底面を取り付けるアングル部材を備えたことを特徴とする請求項２または３記載の電子機器ラック。
【請求項５】
上記ラック筐体は、電子機器ユニットを搬入するための開口を有する前面部を備え、
上記取り付け部は、前後に取り付けられる電子機器ユニットの上部を順に前面部方向に回動できるように、電子機器ユニットの底面を取り付ける複合アングル部材を備えたことを特徴とする請求項２または３記載の電子機器ラック。
【請求項６】
上記ラック筐体は、前面部に対抗する背面部を有し、
背面部は、上記ラック筐体内の空気を排出する排気口を形成可能な排気部を有することを特徴とする請求項４または５に記載の電子機器ラック。
【請求項７】
上記ラック筐体は、前面部の開口をカバーする着脱可能なパネル板を有することを特徴とする請求項４〜６何れかに記載の電子機器ラック。
【請求項８】
上記パネル板は、ユーザインターフェースを有する電子機器ユニットが収納される部分に対応して、一部開閉可能な窓を有することを特徴とする請求項７記載の電子機器ラック。
【請求項９】
上記ラック筐体は、上記ユニット配置部を連通して電子機器ユニットの配線を通過させる配線口を有することを特徴とする請求項２〜８何れかに記載の電子機器ラック。
【請求項１０】
上記ラック筐体は、通気のためのメッシュ構造の側面部を有することを特徴とする請求項１〜９何れかに記載の電子機器ラック。
【請求項１１】
上記請求項１〜１０何れかに記載の電子機器ラックに収納される電子機器ユニットであって、縦と横と奥行き（奥行き＜縦、かつ、奥行き＜横）を有する箱型の電子機器ユニットにおいて、
表示装置と、
入力装置と、
表示装置と入力装置とを収納するとともに、表示装置に対応する部分を操作窓として開閉可能に構成したユニット筐体と
を備えたことを特徴とする電子機器ユニット。
【発明の詳細な説明】
【技術分野】
【０００１】
本発明は、例えば、サーバ等の箱型の電子機器ユニットを複数収納する電子機器ラックに関するものであり、特に、壁面に設置することができる電子機器ラックに関するものである。
【背景技術】
【０００２】
従来、所定の規格の箱型形状を有するサーバユニットを複数収納するサーバラックがある。サーバユニットを複数収納するサーバラックとしては、サーバラック内部に上下に所定の間隔をおいて配置された複数の受棚を設け、その受棚にサーバユニットを載置する据え置き型構造のサーバラックがある（特許文献１参照）。また、サーバユニットのメンテナンス時等には、サーバユニットの載置された受棚（トレー）を前面に引き出すことのできる前面引き出し構造を有するサーバラックがある（特許文献２参照）。
【０００３】
サーバユニットを複数収納するサーバラックでは、サーバ等の電子機器から発生する熱を除去するために、冷却ファンを用いた換気が必要となる。従来のサーバラックでは、換気による排気はサーバラックの背面等から室内に排気されている（特許文献４参照）。
【特許文献１】特開２００５−１５８９４６号公報
【特許文献２】特開２００１−３３５１２６号公報
【特許文献３】特開２０００−３１１０３０号公報
【特許文献４】特開２００６−１４０３４３号公報
【特許文献５】特開平１１−２１２６７４号公報
【発明の開示】
【発明が解決しようとする課題】
【０００４】
従来の据え置き型サーバラックでは、薄型箱型形状のサーバユニットの広い面を底面としてサーバラック内の受棚に載置しているので、サーバラックの設置面積が大きくなる。また、従来のサーバラックでは、サーバラック背面からの冷却ファンによる排気のため、サーバラック背面には約３０ｃｍ以上のスペースを設ける必要がある。また、前面引き出し構造のサーバラックの場合は、メンテナンス時にサーバ等の電子機器ユニットを前面に引き出すため、サーバラックの前面に約１２０ｃｍ以上のスペースが必要となる。また、サーバラック側面に排気口、あるいは吸気口を設けた場合には、サーバラック側面に少なくとも約３０ｃｍ以上のスペースを設ける必要がある。
【０００５】
このように、従来のサーバラックでは、サーバラックの周囲に広くスペースを確保する必要があり、大きな設置スペースが必要となるという課題がある。このため、サーバラック専用の設置ルームが必要となり、例えば、小規模施設のユーザにとっては設置場所の確保が負担となるという課題がある。
【０００６】
また、サーバラックの周囲にスペースを確保する必要があるため、サーバラックが設置ルームの壁面からスペースを確保した中途半端な位置に設置されるので、作業者の安全確保のためにサーバラックからのケーブルの引き回しに配慮する必要があるという課題がある。
【０００７】
また、従来の据え置き型サーバラックでは、メンテナンスの作業者は、サーバラックの上段に配置されたサーバを取り外してメンテナンスしなければならず、利用性、安全性が低いという課題がある。
【０００８】
また、従来のサーバラックでは、冷却ファンによる排気は室内排気となっているため、設置場所の空調に影響を与えてしまうという課題がある。
【０００９】
以上のような課題のために、例えば、小規模施設のユーザは、サーバラックを設置した設置ルームを他の用途（例えば、事務所等）に利用したいにもかかわらず、排気が室内にされることによる空調への影響、あるいは、設置ルームの壁面からスペースを確保した中途半端な位置に設置されることによる美観の損傷、あるいは、ケーブルによる安全性や美観の損傷等の理由から、サーバラックを設置した設置ルームを他の用途（例えば、事務所等）に利用することができないという課題がある。
【００１０】
本発明は、例えば、上記のような課題を解決するためになされたものであり、サーバラックの背面を設置ルームの壁面に接して配置することができる薄型のサーバラックを提供することを目的とする。また、サーバラックを家具調やインテリア調に構成することにより設置ルームの美観を損ねることなく、設置ルームを他の用途にも利用できるようなサーバラックを提供することを目的とする。また、サーバラックの排気は、直接室外等に排気することを可能とし、設置ルームの室内の空調に影響を与えないようにすることを目的とする。
【課題を解決するための手段】
【００１１】
本発明に係る電子機器ラックは、
縦と横と奥行き（奥行き＜縦、かつ、奥行き＜横）を有する箱型の電子機器ユニットを複数収納する電子機器ラックにおいて、
縦と横と奥行き（奥行き＜縦、かつ、奥行き＜横）を有する箱型のラック筐体と、
ラック筐体内に設けられ、電子機器ユニットの縦方向と横方向との少なくともいずれかの方向に複数の電子機器ユニットを収納する収納部
を備えたことを特徴とする。
【００１２】
上記収納部は、電子機器ラックの縦方向と横方向との少なくともいずれかの方向に電子機器ユニットを配置する複数のユニット配置部を備え、
上記ユニット配置部は、電子機器ユニットを取り付ける取り付け部を備えたことを特徴とする。
【００１３】
上記複数のユニット配置部のうち少なくともひとつのユニット配置部は、電子機器ユニットの奥行き方向前後に電子機器ユニットを取り付ける複数の上記取り付け部を備えたことを特徴とする。
【００１４】
上記ラック筐体は、電子機器ユニットを搬入するための開口を有する前面部を備え、
上記取り付け部は、電子機器ユニットの上部を前面部方向に回動できるように、電子機器ユニットの底面を取り付けるアングル部材を備えたことを特徴とする。
【００１５】
上記ラック筐体は、電子機器ユニットを搬入するための開口を有する前面部を備え、
上記取り付け部は、前後に取り付けられる電子機器ユニットの上部を順に前面部方向に回動できるように、電子機器ユニットの底面を取り付ける複合アングル部材を備えたことを特徴とする。
【００１６】
上記ラック筐体は、前面部に対抗する背面部を有し、
背面部は、上記ラック筐体内の空気を排出する排気口を形成可能な排気部を有することを特徴とする。
【００１７】
上記ラック筐体は、前面部の開口をカバーする着脱可能なパネル板を有することを特徴とする。
【００１８】
上記パネル板は、ユーザインターフェースを有する電子機器ユニットが収納される部分に対応して、一部開閉可能な窓を有することを特徴とする。
【００１９】
上記ラック筐体は、上記ユニット配置部を連通して電子機器ユニットの配線を通過させる配線口を有することを特徴とする。
【００２０】
上記ラック筐体は、通気のためのメッシュ構造の側面部を有することを特徴とする。
【００２１】
本発明に係る電子機器ユニットは、
上記電子機器ラックに収納される電子機器ユニットであって、縦と横と奥行き（奥行き＜縦、かつ、奥行き＜横）を有する箱型の電子機器ユニットにおいて、
表示装置と、
入力装置と、
表示装置と入力装置とを収納するとともに、表示装置に対応する部分を操作窓として開閉可能に構成したユニット筐体と
を備えたことを特徴とする。
【発明の効果】
【００２２】
本発明に係る電子機器ラックによれば、縦と横と奥行き（奥行き＜縦、かつ、奥行き＜横）を有する箱型の電子機器ユニットを複数収納する電子機器ラックにおいて、縦と横と奥行き（奥行き＜縦、かつ、奥行き＜横）を有する箱型のラック筐体と、ラック筐体内に設けられ、電子機器ユニットの縦方向と横方向との少なくともいずれかの方向に複数の電子機器ユニットを収納する収納部を備えているので、設置場所の壁面に設置することのできる薄型で省スペースに対応した電子機器ラックを提供することができる。
【発明を実施するための最良の形態】
【００２３】
実施の形態１．
図１〜図７を用いて、実施の形態１に係る電子機器ラック１００の全体構造について説明する。実施の形態１に係る電子機器ラック１００は、後述するサーバ等の電子機器ユニット２００を複数収納して、電子機器ラック１００の設置ルーム９００の壁面９０１に設置されるものである。
【００２４】
図１は、実施の形態１に係る電子機器ラック１００の外観を示す斜視図である。図１に示すように、電子機器ラック１００は、ラック縦１１１とラック横１１２とラック奥行き１１３とを有する箱型のラック筐体１１０を備える。ここで、ラック縦１１１、ラック横１１２、ラック奥行き１１３は、それぞれ、ラック縦１１１の長さ、ラック横１１２の長さ、ラック奥行き１１３の長さ（幅）を意味するものとする。ラック縦１１１とラック横１１２とラック奥行き１１３との関係は、ラック奥行き１１３＜ラック縦１１１、かつ、ラック奥行き１１３＜ラック横１１２、となる。つまり、本実施の形態における電子機器ラック１００は、ラック奥行き１１３がラック縦１１１あるいはラック横１１２よりも短い構成である。すなわち、電子機器ラック１００は、薄型の箱型形状である。
【００２５】
電子機器ラック１００は、ラック筐体１１０の内部であって後述する電子機器ユニット２００を複数収納する収納部１２０を備える。本実施の形態の電子機器ラック１００は、縦方向に２段構造となっている収納部１２０を有する。電子機器ラック１００は、収納部１２０が２段構造を有しており、収納部１２０の上段には上段サーバ収納部１２１を備え、下段には下段サーバ収納部１２２を備える。収納部１２０がその他の構造（例えば、３段構造、並列構造等）を有する電子機器ラックについては後述する。
【００２６】
ラック筐体１１０は、後述する電子機器ユニット２００をラック筐体１１０の内部に搬入するための開口を有する前面部１５０を備える。ラック筐体１１０は、前面部１５０に対向する側に、設置ルーム９００に電子機器ラック１００を設置する際に設置ルーム９００の壁面９０１に接する面となる背面部１５１を備える。ラック筐体１１０の上面には、上面板１１０１が設けられている。ラック筐体１１０の右側面（電子機器ラック１００の正面に向かって右側の側面）には、右側面板１１０２が設けられている。ラック筐体１１０の左側面（電子機器ラック１００の正面に向かって左側の側面）には、左側面板１１０３が設けられている。ラック筐体１１０の底面には、底面板１１０４が設けられている。ラック筐体１１０の背面部１５１には、背面板１１０５が設けられている。
【００２７】
また、電子機器ラック１００は、電子機器ラック１００の通常使用時（メンテナンス作業、管理作業等を行っていない通常設置時）に前面部１５０の開口を塞ぐためのパネル板１６０を備える。すなわち、ラック筐体１１０は、前面部１５０の開口をカバーする着脱可能なパネル板を有する。パネル板１６０は、取り付け・取り外し自在に設けられる。作業者は、電子機器ラック１００に収納されているサーバ等の電子機器ユニット２００のメンテナンス時には、パネル板１６０を取り外して作業を行うことができる。パネル板１６０は、上段サーバ収納部１２１と下段サーバ収納部１２２とのそれぞれに対して設けられている。上段サーバ収納部１２１と下段サーバ収納部１２２とに対して１つのパネル板を設けても構わないが、作業性・利用性を考慮すると上段サーバ収納部１２１と下段サーバ収納部１２２とのそれぞれに対して設けられる方が好ましい。上段サーバ収納部１２１に設置されているパネル板１６０に設けられているコンソール用操作窓１６１については後述する。
【００２８】
電子機器ラック１００の上面板１１０１と右側面板１１０２と左側面板１１０３とパネル板１６０とは、同一あるいは統一性のある素材・模様を有して形成されるのが好ましい。例えば、電子機器ラック１００において、上面板１１０１と右側面板１１０２と左側面板１１０３とパネル板１６０とを同様の木目調の素材・模様により形成することにより、家具調の電子機器ラック１００を提供することができる。あるいは、パネル板１６０等を、壁面９０１の素材・模様に合わせることで壁面と一体化させることができ、設置ルーム９００を広く感じさせることができる。また、電子機器ラック１００において、上面板１１０１と右側面板１１０２と左側面板１１０３とを、パネル板１６０と同様に、着脱可能に形成しても良い。
【００２９】
次に、電子機器ラック１００に収納される電子機器ユニット２００について説明する。図２〜図４は、実施の形態１に係る電子機器ユニット２００を示す図である。図２は、電子機器ユニット２００の外観を示す図である。図３は、ユーザインターフェース用ユニット２２０の内部構造を示す図である。図４は、図３のユーザインターフェース用ユニット２２０のＥ−Ｅ断面図である。図２〜図４を用いて、実施の形態１に係る電子機器ユニット２００について説明する。
【００３０】
本実施の形態に係る電子機器ユニット２００には、サーバであるサーバユニット２１０とユーザインターフェース用の電子機器（例えばモニタやキーボードやマウス等）を収納したユーザインターフェース用ユニット２２０とがある。つまり、サーバユニット２１０とユーザインターフェース用ユニット２２０とは、電子機器ユニット２００の一例である。以下において、電子機器ユニット２００と記載した場合には、サーバユニット２１０とユーザインターフェース用ユニット２２０とを意味するものとする。
【００３１】
図２に示すように、電子機器ユニット２００は、ユニット縦２１１とユニット横２１２とユニット奥行き２１３とを有する箱型形状である。ここで、ユニット縦２１１、ユニット横２１２、ユニット奥行き２１３は、それぞれ、ユニット縦２１１の長さ、ユニット横２１２の長さ、ユニット奥行き２１３の長さを意味するものとする。ユニット縦２１１とユニット横２１２とユニット奥行き２１３との関係は、ユニット奥行き２１３＜ユニット縦２１１、かつ、ユニット奥行き２１３＜ユニット横２１２、となる。つまり、電子機器ユニット２００は、ユニット奥行き２１３がユニット縦２１１あるいはユニット横２１２よりも短い形状である。すなわち、電子機器ユニット２００は、薄型の箱型形状である。電子機器ユニット２００において、ユニット奥行き２１３×ユニット横２１２の面であって電子機器ラックに設置された際に上面となる面をユニット上面２１４、ユニット上面２１４に対向する面をユニット底面２１５とする。また、ユニット横２１２×ユニット縦２１１の面の前面をユニット前面２１６、背面をユニット背面２１７とする。また、ユニット奥行き２１３×ユニット縦２１１の面の右側面をユニット右側面２１８、左側面をユニット左側面２１９とする。
【００３２】
本実施の形態では、電子機器ユニット２００の薄型の箱型形状は、１Ｕサーバといわれる規格の基本サイズを有するものとする。通常１Ｕサーバといわれるサーバの基本サイズを、本実施の形態の電子機器ユニット２００にあてはめると、ユニット横２１２が１９インチ（４８２．６ｍｍ）であり、ユニット奥行き２１３が１Ｕ（４４．４５ｍｍ）である。ユニット縦２１１については特に規格はないが、本実施の形態では１Ｕ（４４．４５ｍｍ）より大きい所定のサイズを有する。電子機器ユニット２００がサーバユニット２１０の場合は、ユニット上面２１４がサーバの正面となる。ユニット縦２１１のサイズは、後述するようにモニタやキーボードを収納することを考慮すると約３０ｃｍ〜約５０ｃｍが好適である。
【００３３】
従来のサーバラックにおいては、図２のサーバユニット２１０を、ユニット上面２１４をサーバの正面として、ユニット底面２１５からサーバラックの受棚等に引き出しに差し込むように挿入して収納する。本実施の形態においても、図２のサーバユニット２１０は、ユニット上面２１４をサーバの正面として構成された１Ｕサーバである。以下において、１Ｕサーバの基本サイズ（図２に示す薄型箱型のサイズ）を１Ｕ基本サイズと呼ぶものとする。
【００３４】
図３は、１Ｕ基本サイズの薄型箱型のユニット筐体２２３に、ユーザインターフェース用の電子機器を収納したユーザインターフェース用ユニット２２０の内部構成を示している。ユーザインターフェース用ユニット２２０のユニット筐体２２３は、ユーザインターフェース用の電子機器としてモニタ２２１（表示装置の一例）とキーボード２２２（入力装置の一例）とマウス２２５（入力装置の一例）と、これらの機器の接続先サーバを切り替えるためのスイッチャー２２８とを収納する。さらに、ユーザインターフェース用ユニット２２０のユニット筐体２２３は、モニタ２２１を固定するためのモニタ固定アングル２２６を備える。
【００３５】
ユーザインターフェース用ユニット２２０のユニット筐体２２３は、モニタ２２１に対応する部分が操作窓２２４として開閉可能に構成されている。ユニット筐体２２３は、操作窓２２４が閉じている状態では、図２に示す状態である。ユニット筐体２２３は、図３に示すように、操作窓２２４を前面（Ｐ０方向）に９０度倒すことができるように構成される。ユーザインターフェース用ユニット２２０は、操作窓２２４を９０度手前に倒して、倒した操作窓２２４にキーボード２２２とマウス２２５とを載置して、倒した操作窓２２４をテーブル２２４１として利用することができるように構成されている。ユーザインターフェース用ユニット２２０は、作業者が操作窓２２４を閉じる場合にキーボード２２２とマウス２２５とをそれぞれ収納するキーボードポケット２２９とマウス収納ポケット２２７とを備える。ユーザインターフェース用ユニット２２０は、作業者がキーボード２２２とマウス２２５とをそれぞれキーボードポケット２２９とマウス収納ポケット２２７とに収納して操作窓２２４を閉じると、図２の１Ｕ基本サイズの薄型箱型形状となる。
【００３６】
図４は、図３のＥ−Ｅ断面図である。図４に示すように、モニタ２２１とモニタ２２１を固定するモニタ固定アングル２２６とを合わせた幅Ｌ１は、１Ｕサイズの幅に収納できる幅である必要がある。
【００３７】
図５は、実施の形態１に係る電子機器ラック１００に電子機器ユニット２００が配置されている場合の内部構造を示す正面図である。図５は、電子機器ラック１００に電子機器ユニット２００を配置した状態において、パネル板１６０を取り外した状態の電子機器ラック１００を正面から見た図である。図５を用いて、電子機器ラック１００に電子機器ユニット２００が配置されている場合の内部構造について説明する。
【００３８】
図５において、電子機器ラック１００の収納部１２０は、電子機器ユニット２００を配置するためのユニット配置部１４０を備えている。電子機器ラック１００の上段サーバ収納部１２１のユニット配置部１４０には、ユーザインターフェース用ユニット２２０が配置されている。電子機器ラック１００の下段サーバ収納部１２２のユニット配置部１４０には、サーバユニット２１０が配置されている。
【００３９】
電子機器ラック１００においては、電子機器ラック１００の背面部１５１（背面板１１０５）にユニット背面２１７（図２参照）が対向するように（背面板１１０５とユニット背面２１７とが平行となるように）、電子機器ユニット２００のユニット底面２１５はユニット配置部１４０に取り付けられる。
【００４０】
ラック筐体１１０の背面部１５１は、ラック筐体１１０内の空気を排出するための排気口１７２を形成する排気部１７０を有する。排気部１７０の排気口１７２には、ファン１７１が取り付けられている。ファン１７１は、壁面に設けられた壁面排気口１７９（図６参照）に直接連通しており、ラック筐体１１０内の空気はファン１７１により壁面排気口１７９に送られ、直接設置ルーム９００の外部に排出される。したがって、ラック筐体１１０内の熱風が設置ルーム９００室内に排出されることはない。あるいは、排気部１７０の排気口１７２は、例えば、壁面９０１に設置された壁面ファンに直接連通し、ラック筐体１１０内の空気を壁面の壁面ファンにより直接設置ルーム９００の外部に排出するようにしてもよい。
【００４１】
ここで、電子機器ラック１００において、室内の空気を吸気して、吸気した空気によりラック筐体１１０内を冷却し、熱を吸収して熱せられた空気を直接設置ルーム９００の外部に排気する方式を直接排気と呼ぶ。また、室内の空気を吸気して、吸気した空気によりラック筐体１１０内を冷却し、熱を吸収して熱せられた空気を設置ルーム９００室内に排気する方式を通常排気と呼ぶ。本実施の形態では、電子機器ラック１００は直接排気のシステムを有するものとする。しかし、電子機器ラック１００の設置ルーム９００の外部環境によっては、必ずしも直接排気が可能であるとは限らない。例えば、設置ルーム９００が比較的住宅街に近いような環境にある場合は、熱風を直接外部に排出するわけにはいかない場合もある。このような場合のために、電子機器ラック１００においては、直接排気と通常排気とを選択することができる構成にするのが好適である。
【００４２】
ラック筐体１１０には、上下の複数のユニット配置部１４０を連通して電子機器ユニット２００の配線を通過させる配線口１９０を有する。例えば、上段サーバ収納部１２１の底板１２１１の左右の位置１９０ａ，１９０ｂとラック筐体１１０の底面板１１０４の左右の位置１９０ｃ，１９０ｄとの４箇所に、サーバユニット２１０やユーザインターフェース用ユニット２２０が利用する電源ケーブル・ＬＡＮケーブル・接続ケーブル等のケーブルを通すための配線口１９０を設ける。また、配線口１９０を、底板１２１１あるいは底面板１１０４の壁面９０１側に設けることにより、ケーブルを壁面に沿わせて配線することができ、電子機器ラック１００を設置する設置ルーム９００の床面をスッキリとさせることができる。配線口１９０は、上記の位置に限らず、配線口１９０として利用できる孔を多数底板１２１１あるいは底面板１１０４に開けておいても構わない。これにより、電子機器ラック１００の様々な配線の態様に対応することができる。
【００４３】
ラック筐体１１０の下部には、電子機器ラック１００の移動を容易にするためのキャスター１９１を設ける。キャスター１９１は、電子機器ラック１００の安定のために、ラック筐体の底面板１１０４の角部付近である４箇所に設けるのが好ましい。また、電子機器ラック１００の設置時には、移動しないようにキャスター１９１にロック機能を備えることが好ましい。
【００４４】
図６は、実施の形態１に係る電子機器ラック１００の内部構造を示す右側面図である。図６は、図５で説明した電子機器ラック１００を、右側面側から見た図である。図６では、右側面側から見た電子機器ラック１００の内部構造を説明するために、右側面板１１０２は図示していない。
【００４５】
図６に示すように、上段サーバ収納部１２１のユニット配置部１４０には、電子機器ラック１００の奥行き方向前後に２つの電子機器ユニット２００（前面部１５０側にユーザインターフェース用ユニット２２０、背面部１５１側にサーバユニット２１０）が取り付けられている。また、下段サーバ収納部１２２のユニット配置部１４０にも、電子機器ラック１００の奥行き方向前後に２つの電子機器ユニット２００（前面部１５０側にサーバユニット２１０、背面部１５１側にサーバユニット２１０）が取り付けられている。すなわち、ユニット配置部１４０は、電子機器ユニット２００を取り付けるための取り付け部１４１を奥行き方向前後に２つ備えている。下段サーバ収納部１２２のユニット配置部１４０も同様に、電子機器ユニット２００を取り付けるための取り付け部１４１を奥行き方向前後に２つ備えている。
【００４６】
上述したように、従来のサーバラックにおいては、図２の電子機器ユニット２００を、ユニット上面２１４をサーバ等の正面として、ユニット底面２１５からサーバラックのトレー等に引き出しを差し込むように挿入して収納する。つまり、従来のサーバラックでは、電子機器ユニットのユニット前面部に相当する広い面を底面としてトレーに載置するので、サーバラック自体の設置面積が大きくなる。本実施の形態に係る電子機器ラック１００では、電子機器ユニット２００のユニット背面２１７と電子機器ラック１００の背面板１１０５とを平行にしてユニット底面２１５をユニット配置部１４０に取り付け、電子機器ユニット２００を立てて実装するので、電子機器ラック１００の設置面積を最小限にすることが可能となる。
【００４７】
図６に示すように、上段サーバ収納部１２１の前面部１５０側には、ユーザインターフェース用ユニット２２０が取り付けられる。ユーザインターフェース用ユニット２２０が、上部の前面（上段サーバ収納部１２１の前面部１５０側）に取り付けられることにより、作業者は、壁面９０１に向かって作業することができる。作業者は、ユーザインターフェース用ユニット２２０を図３の状態にして、例えば、椅子に座って作業することになるので、まるで机に向かって作業している状態となり、作業者の作業性の向上が期待できる。
【００４８】
また、図１に示すように、上段サーバ収納部１２１には、コンソール用操作窓１６１を備えたパネル板１６０が取り付けられている。コンソール用操作窓１６１は、ユーザインターフェース用ユニット２２０が収納される部分に対応して、パネル板１６０の一部が開閉可能に構成された窓である。電子機器ラック１００は、コンソール用操作窓１６１が開放されると、内部に収納されているユーザインターフェース用ユニット２２０の操作窓２２４を手前に９０度倒すことができる構成となっている。したがって、作業者はユーザインターフェース用ユニット２２０を用いた作業を行う場合に、パネル板１６０を取り外さなくてもコンソール用操作窓１６１を開放することによりユーザインターフェース用ユニット２２０を操作することができる。コンソール用操作窓１６１は、着脱式でも良いし、観音開き式、スライド式、オープン式等のどのような開閉方式でも構わない。また、コンソール用操作窓１６１を透明な素材で構成し、収納されているユーザインターフェース用ユニット２２０のモニタに対応する操作窓２２４も透明な素材で構成することにより、作業者が透明なコンソール用操作窓１６１と透明な操作窓２２４とを通してモニタ２２１の監視を行うことができるようにしてもよい。
【００４９】
図６に示すように、電子機器ラック１００の背面部１５１に設けられた排気部１７０（排気口１７２）は、壁面９０１の壁面排気口１７９に連通し、ファン１７１により電子機器ラック１００の内部の空気を外部に排出する。壁面９０１の外部には、壁面排気口１７９をカバーするカバー１７３が設けられる。
【００５０】
図７は、実施の形態１に係る電子機器ラック１００において、２Ｕサーバユニット２３０が取り付けられている場合の内部構造を示す右側面図である。図７では、右側面側から見た電子機器ラック１００の内部構造を説明するために、右側面板１１０２は図示していない。
【００５１】
２Ｕサーバユニット２３０とは、２Ｕサイズの電子機器ユニットである。２Ｕサイズとは、図２において、ユニット奥行き２１３を１Ｕの２倍、すなわち２Ｕサイズにした電子機器ユニットである。つまり、ユニット奥行き２１３が電子機器ユニット２００の２倍のユニットである。以下、２Ｕサイズの電子機器ユニットを２Ｕ電子機器ユニット２０１とする。
【００５２】
図７に示すように、上段サーバ収納部１２１のユニット配置部１４０には、電子機器ラック１００の奥行き方向前後に２つの電子機器ユニット２００が取り付けられている。すなわち、ユニット配置部１４０は、電子機器ユニット２００を取り付けるための取り付け部１４１を奥行き方向前後に２つ備えている。下段サーバ収納部１２２のユニット配置部１４０には、２Ｕ電子機器ユニット２０１である２Ｕサーバユニット２３０が取り付けられている。下段サーバ収納部１２２には、２Ｕ電子機器ユニット２０１を取り付けるための２Ｕ取り付け部１４２１を備えている。このように、本実施の形態に係る電子機器ラック１００は、２Ｕサイズの２Ｕ電子機器ユニット２０１を取り付けることができる。
【００５３】
図８は、実施の形態１に係る電子機器ラック１００の右側面板１１０２と左側面板１１０３とを示す図である。図８（ａ）は、電子機器ラック１００の右側面板１１０２を示す図である。図８（ｂ−１）は、直接排気を行う際の電子機器ラック１００の左側面板１１０３を示す図である。図８（ｂ−２）は、通常排気を行う際の電子機器ラック１００の左側面板１１０３を示す図である。
【００５４】
電子機器ラック１００は、右側面板１１０２から室内の空気を吸気して、吸気した空気によりラック筐体１１０内を冷却し、熱を吸収して熱せられた空気を排気部１７０から直接設置ルーム９００の外部に排気する直接排気を行う。直接排気の場合は、図８（ａ）に示すように、電子機器ラック１００の右側面板１１０２は、吸気のためのメッシュ構造となっている。すなわち、ラック筐体１１０は、通気のためのメッシュ構造の側面部を有する。また、左側面板１１０３は、図８（ｂ−１）に示すように、メッシュ構造の右側面板１１０２から吸気した空気で、電子機器ラック１００の内部の熱を吸収し、熱を吸収した熱気を排気部１７０の排気口１７２からファン１７１により直接外部に排出するため、左側面板１１０３は通気を行わないように封鎖されている構造である。
【００５５】
また、電子機器ラック１００は、右側面板１１０２から室内の空気を吸気して、吸気した空気によりラック筐体１１０内を冷却し、熱を吸収して熱せられた空気を左側面板１１０３から設置ルーム９００室内に排気する通常排気も行うことができる。この場合は、図８（ｂ−２）に示すように、電子機器ラック１００の左側面板１１０３は、排気のためのメッシュ構造とする必要がある。
【００５６】
次に、電子機器ラック１００において、作業者がメンテナンス等のために電子機器ユニット２００あるいは２Ｕ電子機器ユニット２０１の位置状態を変化させ、メンテナンスを容易にすることができる電子機器ラック１００の構造について説明する。
【００５７】
図９は、実施の形態１に係る電子機器ラック１００において、電子機器ユニット２００を前面部１５０側に９０度倒した位置状態を示す右側面図である。図１０は、実施の形態１に係る電子機器ラック１００において、２Ｕサーバユニット２３０（２Ｕ電子機器ユニット２０１）を前面部１５０側に９０度倒した位置状態を示す右側面図である。
【００５８】
図９に示すように、電子機器ラック１００のユニット配置部１４０の取り付け部１４１は、奥行き方向前後に取り付けられる電子機器ユニット２００の上部を順に前面部１５０方向に回動できるように、電子機器ユニット２００のユニット底面２１５を取り付ける複合アングル部材１４３を備えている。また、電子機器ラック１００に２Ｕ電子機器ユニット２０１が収納されている場合には、図１０に示すように、電子機器ラック１００のユニット配置部１４０の２Ｕ取り付け部１４２１は、２Ｕ電子機器ユニット２０１の上部を前面部１５０方向に回動できるように、２Ｕ電子機器ユニット２０１のユニット底面２１５を取り付けるアングル部材１４２を備えている。
【００５９】
図９に示すように、電子機器ラック１００の下段サーバ収納部１２２には、前面部１５０側のＡサーバユニット２１０と背面部１５１側のＢサーバユニット２１０とが複合アングル部材１４３に取り付けられている。作業者は、Ａサーバユニット２１０の上部を前面部１５０方向（Ｐ１方向）に９０度倒すことにより、Ａサーバユニット２１０のメンテナンスをする。上述したようにＡサーバユニット２１０のサーバの正面はユニット上面２１４であるので、作業者は、容易にＡサーバユニット２１０のメンテナンスをすることができる。Ｃユーザインターフェース用ユニット２２０についても同様に手前に９０度倒すことができる。
【００６０】
また、作業者は、Ａサーバユニット２１０を９０度手前に倒した状態で、さらに、Ｂサーバユニット２１０の上部を前面部１５０方向（Ｐ１方向）に回動して９０度手前に倒すことができる。Ｂサーバユニット２１０を９０度手前に倒すことにより、Ｂサーバユニット２１０の位置状態は、図９に示す上段サーバ収納部１２１のＤサーバユニット２１０の位置状態と同様となる。Ｂサーバユニット２１０あるいはＤサーバユニット２１０についても、サーバの正面はユニット上面２１４であるので、作業者は、容易にＢサーバユニット２１０あるいはＤサーバユニット２１０のメンテナンスをすることができる。このようにして作業者は、背面部１５１側の電子機器ユニット２００であるＢサーバユニット２１０あるいはＤサーバユニット２１０のメンテナンスも容易にすることができる。複合アングル部材１４３は、Ａサーバユニット２１０を９０度手前に倒した状態で、さらに、Ｂサーバユニット２１０を９０度手前に倒すことを実現するための部材であるが、この複合アングル部材１４３の詳細については後述する。
【００６１】
電子機器ラック１００に２Ｕ電子機器ユニット２０１が収納されている場合には、図１０に示すように、２Ｕサーバユニット２３０はアングル部材１４２に取り付けられている。作業者は、２Ｕサーバユニット２３０の上部を前面部１５０方向（Ｐ１方向）に回動して９０度手前に倒すことにより、容易に２Ｕサーバユニット２３０のメンテナンスをすることができる。２Ｕサーバユニット２３０についても、サーバの正面はユニット上面２１４であるので、作業者は、容易に２Ｕサーバユニット２３０のメンテナンスをすることができる。
【００６２】
次に、図１１〜図１３を用いて、複合アングル部材１４３及びアングル部材１４２の構造について説明する。図１１は、複合アングル部材１４３及びアングル部材１４２を上方向（天井方向）から見た平面図である。図１１（ａ）は、１Ｕサイズの電子機器ユニット２００を２つ取り付けることができる複合アングル部材１４３の平面図である。図１１（ｂ）は、２Ｕサイズの２Ｕ電子機器ユニット２０１を１つ取り付けることができるアングル部材１４２の平面図である。図１２は、複合アングル部材１４３及びアングル部材１４２の斜視図である。図１２（ａ）は、１Ｕサイズの電子機器ユニット２００を２つ取り付けることができる複合アングル部材１４３の斜視図である。図１２（ｂ）は、２Ｕサイズの２Ｕ電子機器ユニット２０１を１つ取り付けることができるアングル部材１４２の斜視図である。図１２（ｃ）は、図１２（ａ）の複合アングル部材のＦ−Ｆ断面図である。図１３は、複合アングル部材１４３に電子機器ユニット２００を取り付けた場合の動きを示す図である。
【００６３】
図１１（ａ）は、１Ｕサイズの電子機器ユニット２００を２つ取り付けることができる複合アングル部材１４３の平面図である。複合アングル部材１４３は、電子機器ラック１００の前面部１５０側にある前面側取り付け部１４３１と、電子機器ラック１００の背面部１５１側にある背面側取り付け部１４３２とを備える。また、複合アングル部材１４３の前面側取り付け部１４３１と背面側取り付け部１４３２とには、電子機器ユニット２００のユニット底面２１５を取り付けるためのネジ穴９９０が設けられる。
【００６４】
図１２（ａ）に示すように、複合アングル部材１４３は、前面側取り付け部１４３１が９０度の範囲でＰ３方向に開いたり閉じたりできる（回動できる）ような複合ヒンジ１４３４を備えた構造となっている。つまり、前面側取り付け部１４３１は、閉じた状態から、Ｐ３方向へ９０度開いた状態（図１２（ａ）の状態）まで回動することができる。
【００６５】
例えば、複合アングル部材１４３が、図９に示す電子機器ラック１００のユニット配置部１４０に備えられている場合について説明する。複合アングル部材１４３の前面側取り付け部１４３１と背面側取り付け部１４３２とには、Ａサーバユニット２１０（あるいはＣユーザインタフェース用ユニット２２０）とＢサーバユニット２１０（あるいはＤサーバユニット２１０）とが取り付けられているものとする。
【００６６】
図１３は、複合アングル部材１４３の前面側取り付け部１４３１と背面側取り付け部１４３２とに、Ａサーバユニット２１０（あるいはＣユーザインタフェース用ユニット２２０）とＢサーバユニット２１０（あるいはＤサーバユニット２１０）とを取り付けて、前面側取り付け部１４３１がＰ３方向に開いていく状態を示している。複合アングル部材１４３では、前面側取り付け部１４３１がＰ３方向に開くことにより、前面側取り付け部１４３１に取り付けられたＡサーバユニット２１０（Ｃユーザインタフェース用ユニット２２０）はＰ１方向に倒れていく。前面側取り付け部１４３１の複合ヒンジ１４３４は、前面側取り付け部１４３１が９０度開いたところ（α＝９０度）でＡサーバユニット２１０（Ｃユーザインタフェース用ユニット２２０）が係止するように構成される。複合アングル部材１４３では、前面側取り付け部１４３１が９０度以上開いてしまうと、取り付けられている電子機器ユニット２００の位置が不安定になり、電子機器ユニット２００の故障の原因になりかねない。このため、複合アングル部材１４３の複合ヒンジ１４３４は、前面側取り付け部１４３１が９０度開いたところで確実に係止するストッパ構造を有する必要がある。
【００６７】
次に、前面側取り付け部１４３１が９０度開いた状態（図１２（ａ）の状態）において、背面側取り付け部１４３２も閉じた状態からＰ４方向へ開く（回動する）ことができる（図１２（ｃ）参照）。複合アングル部材１４３は、背面側取り付け部１４３２が９０度の範囲で回動できる構造となっている。つまり、背面側取り付け部１４３２は、閉じた状態から、Ｐ４方向に９０度開いた状態まで回動することができる。
【００６８】
図１３において、背面側取り付け部１４３２がＰ４方向に開くことにより、背面側取り付け部１４３２に取り付けられたＢサーバユニット２１０（Ｄサーバユニット２１０）はＰ１方向に倒れていく。複合アングル部材１４３の複合ヒンジ１４３４は、背面側取り付け部１４３２が９０度開いたところ（α＝９０度）でＢサーバユニット２１０（Ｄサーバユニット２１０）が係止するように構成される。上述したように、複合アングル部材１４３の複合ヒンジ１４３４は、前面側取り付け部１４３１が９０度開いたところで確実に係止するストッパ構造を有しているので、背面側取り付け部１４３２が９０度開いたところでも確実に係止する。
【００６９】
図９に示す電子機器ラック１００の上段サーバ収納部１２１の複合アングル部材１４３の状態は、前面側取り付け部１４３１と背面側取り付け部１４３２との両方ともが９０度開いた状態を示している。
【００７０】
図１１（ｂ）は、２Ｕサイズの２Ｕ電子機器ユニット２０１を１つ取り付けることができるアングル部材１４２の平面図である。アングル部材１４２は、２Ｕ取り付け部１４２１を備える。また、アングル部材１４２の２Ｕ取り付け部１４２１には、２Ｕ電子機器ユニット２０１のユニット底面２１５を取り付けるためのネジ穴９９０が設けられている。
【００７１】
図１２（ｂ）に示すように、アングル部材１４２は、２Ｕ取り付け部１４２１が９０度の範囲でＰ５方向に開いたり閉じたりできる（回動できる）ようなヒンジ１４２４を備えた構造となっている。つまり、２Ｕ取り付け部１４２１は、閉じた状態（図１２（ｂ）の状態）からＰ５方向へ９０度開いた状態まで回動することができる。
【００７２】
例えば、アングル部材１４２が、図１０に示す電子機器ラック１００の下段サーバ収納部１２２のユニット配置部１４０に備えられている場合について説明する。アングル部材１４２の２Ｕ取り付け部１４２１には、２Ｕサーバユニット２３０が取り付けられているものとする。アングル部材１４２の２Ｕ取り付け部１４２１が、閉じた状態からＰ５方向に開いていくことにより、２Ｕサーバユニット２３０はＰ１方向に倒れていく。アングル部材１４２のヒンジ１４２４は、アングル部材１４２の２Ｕ取り付け部１４２１がＰ５方向に９０度開いたところ（β＝９０度）で、２Ｕサーバユニット２３０が係止するように構成される。アングル部材１４２では、２Ｕ取り付け部１４２１が９０度以上開いてしまうと、取り付けられている２Ｕサーバユニット２３０の位置が不安定になってしまい、２Ｕサーバユニット２３０の故障の原因になりかねない。このため、アングル部材１４２のヒンジ１４２４は、２Ｕ取り付け部１４２１が９０度開いたところで確実に係止するストッパ構造を有する必要がある。
【００７３】
実施の形態１に係る電子機器ラック１００によれば、壁面９０１に電子機器ラック１００の背面部１５１を接して設置することができる薄型の箱型形状の電子機器ラック１００とすることができるので、設置スペースの削減を図ることができる。
【００７４】
実施の形態１に係る電子機器ラック１００によれば、大きな設置スペースを必要としないので、小規模施設のユーザにとっては設置場所の確保が負担となることはない。
【００７５】
実施の形態１に係る電子機器ラック１００によれば、電子機器ラック１００の背面部１５１を壁面９０１に接して設置することができるので、電子機器ラック１００を、例えば通路等に設置することもできる。
【００７６】
実施の形態１に係る電子機器ラック１００によれば、電子機器ラック１００の背面部１５１を壁面９０１に接して設置することができるので、電子機器ラック１００で使用するケーブルを壁面に沿わせることができ、作業者の安全や設置ルームの床面等の美観が向上する。
【００７７】
実施の形態１に係る電子機器ラック１００によれば、電子機器ラック１００の背面部１５１を壁面９０１に接して設置するとともに、電子機器ラック１００の表面に配置するパネル板１６０等の素材・模様を工夫することができるので、設置ルームの壁と統一性を持たせることができる。
【００７８】
実施の形態１に係る電子機器ラック１００によれば、電子機器ラック１００の背面部１５１を壁面９０１に接して設置するとともに、電子機器ラック１００の表面に配置するパネル板１６０等の素材・模様を工夫することができるので、例えば、パネル板１６０等を家具調にすることにより、カウンタ・棚等のインテリアとして活用することもできる。
【００７９】
実施の形態１に係る電子機器ラック１００によれば、直接排気ができる構成となっているので、設置ルーム９００の空調に影響を与えてしまうことがなく、設置ルーム９００を他の用途にも利用することができる。
【００８０】
実施の形態２．
実施の形態１では、電子機器ラック１００の収納部１２０が２段構造となっている場合について説明した。本実施の形態では、電子機器ラック１００の収納部１２０が他の構成（多段構造、並列構造等）となっている電子機器ラック１００について説明する。
【００８１】
まず、収納部１２０が３段構造となっている電子機器ラック１００について説明する。図１４は、収納部１２０が３段構造となっている電子機器ラック１００を示す図である。図１４（ａ）は、収納部１２０が３段構造となっている電子機器ラック１００の側面図であり、図１４（ｂ）は、収納部１２０が３段構造となっている電子機器ラック１００の正面図である。
【００８２】
図１４に示す電子機器ラック１００の収納部１２０は、実施の形態１で説明した上段サーバ収納部１２１と下段サーバ収納部１２２とに加えて、中段サーバ収納部５０１を備えている。中段サーバ収納部５０１の構造は、実施の形態１で説明した上段サーバ収納部１２１あるいは下段サーバ収納部１２２の構造と同様であるので、ここでは説明を省略する。
【００８３】
このように、図１４に示す電子機器ラック１００によれば、収納部１２０が２段構造の電子機器ラック１００と同じ設置面積で、より多くの電子機器ユニット２００あるいは２Ｕ電子機器ユニット２０１を収納することができる。また、電子機器ラック１００の設置ルームの環境が許せば、２段構造、３段構造のみならず、さらに多くの多段構造を取ることもできる。ただし、作業者によるメンテナンス等の安全性や作業性を考慮すると、収納部１２０は２段構造あるいは３段構造が好ましい。
【００８４】
次に、収納部１２０が１段構造であり、収納部１２０にユニット配置部１４０が並列に配置されている電子機器ラック１００について説明する。図１５は、収納部１２０にユニット配置部１４０が並列に配置されている電子機器ラック１００を示す図である。
【００８５】
図１５に示す電子機器ラック１００の収納部１２０は、１段構造となっている。また、収納部１２０には、実施の形態１で説明したユニット配置部１４０が電子機器ラック１００のラック横方向に並列に複数配置されている。このような構成により、１段の収納部１２０であっても、より多くの電子機器ユニット２００あるいは２Ｕ電子機器ユニット２０１を収納することができる。例えば、設置ルーム９００の壁面に障害物等があり電子機器ラック１００を多段構造にできない場合等には、収納部１２０にユニット配置部１４０が並列に配置されている電子機器ラック１００は有効である。
【００８６】
実施の形態２の電子機器ラック１００によれば、収納部１２０を多段構造かつ並列構造にすることができる。これにより、電子機器ラック１００は、設置ルームの壁面の状態に合わせてどのような形態を取ることもできる。
【００８７】
実施の形態２の電子機器ラック１００によれば、収納部１２０を多段構造と並列構造とを設置場所の状態に合わせて組み合わせることができる。
【００８８】
実施の形態２の電子機器ラック１００によれば、収納部１２０を多段構造と並列構造とを設置場所の状態に合わせて組み合わせることができるので、例えば、窓に置くことができる。
【００８９】
実施の形態２の電子機器ラック１００によれば、収納部１２０を多段構造と並列構造とを設置場所の状態に合わせて組み合わせることができるので、設置ルームの壁面の状態に合わせてどのような形態を取ることもでき、例えば、壁掛け式にすることができる。
【００９０】
実施の形態２の電子機器ラック１００によれば、収納部１２０を多段構造と並列構造とを設置場所の状態に合わせて組み合わせることができるので、例えば、設置場所の壁面に既存のファンがある場合には、その位置に合わせて壁に設置することができる。
【図面の簡単な説明】
【００９１】
【図１】実施の形態１に係る電子機器ラック１００の外観を示す斜視図である。
【図２】実施の形態１に係る電子機器ユニット２００（サーバユニット２１０）の外観を示す図である。
【図３】実施の形態１に係るインタフェース用ユニット２２０の構造を示す図である。
【図４】図３のインタフェース用ユニット２２０のＡ−Ａ断面図である。
【図５】実施の形態１に係る電子機器ラック１００に電子機器ユニット２００が配置されている場合の内部構造を示す正面図である。
【図６】実施の形態１に係る電子機器ラック１００の内部構造を示す右側面図である。
【図７】実施の形態１に係る電子機器ラック１００において、２Ｕサーバユニット２３０が取り付けられている場合の内部構造を示す右側面図である。
【図８】実施の形態１に係る電子機器ラック１００の右側面板１１０２と左側面板１１０３とを示す図であり、（ａ）は、電子機器ラック１００の右側面板１１０２を示す図、（ｂ−１）は、直接排気を行う際の電子機器ラック１００の左側面板１１０３を示す図、（ｂ−２）は、通常排気を行う際の電子機器ラック１００の左側面板１１０３を示す図である。
【図９】実施の形態１に係る電子機器ラック１００において、電子機器ユニット２００を前面に９０度倒した状態を示す右側面図である。
【図１０】実施の形態１に係る電子機器ラック１００において、２Ｕ電子機器ユニット２０１を前面に９０度倒した状態を示す右側面図である。
【図１１】複合アングル部材１４３及びアングル部材１４２を上方向（天井方向）から見た平面図であり、（ａ）は、１Ｕサイズの電子機器ユニット２００を２つ取り付けることができる複合アングル部材１４３の平面図、（ｂ）は、２Ｕサイズの２Ｕ電子機器ユニット２０１を１つ取り付けることができるアングル部材１４２の平面図である。
【図１２】複合アングル部材１４３及びアングル部材１４２の斜視図であり、（ａ）は、１Ｕサイズの電子機器ユニット２００を２つ取り付けることができる複合アングル部材１４３の斜視図、（ｂ）は、２Ｕサイズの２Ｕ電子機器ユニット２０１を１つ取り付けることができるアングル部材１４２の斜視図である。
【図１３】複合アングル部材１４３に電子機器ユニット２００を取り付けた場合の動きを示す図である。
【図１４】実施の形態２に係る電子機器ラック１００を示す図であり、（ａ）は、収納部１２０が３段構造となっている電子機器ラック１００の側面図、（ｂ）は、収納部１２０が３段構造となっている電子機器ラック１００の正面図である。
【図１５】収納部１２０にユニット配置部１４０が並列に配置されている電子機器ラック１００を示す図である。
【符号の説明】
【００９２】
１００  電子機器ラック、１１０  ラック筐体、１１１  ラック縦、１１２  ラック横、１１３  ラック奥行き、１２０  収納部、１２１  上段サーバ収納部、１２２  下段サーバ収納部、１４０  ユニット配置部、１４１  取り付け部、１４２  アングル部材、１４３  複合アングル部材、１５０  前面部、１５１  背面部、１６０  パネル板、１６１  コンソール用操作窓、１７０  排気部、１７１  ファン、１７２  排気口、１７３  カバー、１７９  壁面排気口、２００  電子機器ユニット、２１０  サーバユニット、２１１  ユニット縦、２１２  ユニット横、２１３  ユニット奥行き、２１４  ユニット上面、２１５  ユニット底面、２１６  ユニット前面、２１７  ユニット背面、２１８  ユニット右側面、２１９  ユニット左側面、２２０  ユーザインターフェース用ユニット、２２１  モニタ、２２２  キーボード、２２３  ユニット筐体、２２４  操作窓、２２５  マウス、２２６  モニタ固定アングル、２２７  マウス収納ポケット、２２８  スイッチャー、２２９  キーボードポケット、５０１  中段サーバ収納部、９０１  壁面、９００  設置ルーム、９９０  ネジ穴、１１０１  上面板、１１０２  右側面板、１１０３  左側面板、１１０４  底面板、１１０５  背面板、１４２１  ２Ｕ取り付け部、１４２４  ヒンジ、１４３１  前面側取り付け部、１４３２  背面側取り付け部、１４３４  複合ヒンジ。
【図１】
2009266860.tif 000003
【図２】
2009266860.tif 000004
【図３】
2009266860.tif 000005
【図４】
2009266860.tif 000006
【図５】
2009266860.tif 000007
【図６】
2009266860.tif 000008
【図７】
2009266860.tif 000009
【図８】
2009266860.tif 000010
【図９】
2009266860.tif 000011
【図１０】
2009266860.tif 000012
【図１１】
2009266860.tif 000013
【図１２】
2009266860.tif 000014
【図１３】
2009266860.tif 000015
【図１４】
2009266860.tif 000016
【図１５】
2009266860.tif 000017